(57)【要約】  サービスオプションのリストを、Ｒ−ＵＩＭアプリケーションなどからのカードアプリケーションツールキットの通話設定コマンドを指定する能力構成パラメータとして用いることができる手段を提供する。例えば、Ｒ−ＵＩＭアプリケーションが、移動体通信局に通話設定コマンドを送信するときに、Ｒ−ＵＩＭアプリケーションは、さらにネットワークとネゴシエートするために移動体通信局が用いることができるサービスオプションのリストをも送信することができる。通話設定におけるサービスネゴシエートプロセス中に、移動体通信局は、サービスオプションリストにあるサービスオプションのみを用いる又は許容する。
2008537868.tif 000002
【特許請求の範囲】
【請求項１】
通信セッションの開始を要求する装置であって、
通信セッションの開始を要求する呼設定コマンドを受信するように構成され、さらに、サービスオプションの順序付けられたリストを受信するように構成された処理要素を具備し、
前記サービスオプションの各々が前記要求された通信セッションの１つの許容可能なコンフィギュレーションを定めており、
前記処理要素が、さらに前記要求された通信セッションを開始するためにワイヤレスネットワークとネゴシエートするように構成されることにより、前記処理要素が、前記順序付けられたリストからサービスオプションを前記ワイヤレスネットワークに提案するようになっている、ことを特徴とする装置。
【請求項２】
前記呼設定コマンド及び前記順序付けられたリストが、取り外し可能なユーザ識別モジュール（Ｒ−ＵＩＭ）から受信される、請求項１に記載の装置。
【請求項３】
前記処理要素が、さらに、前記ワイヤレスネットワークが前記提案されたサービスオプションを許容する場合に、前記要求された通信セッションを開始するように構成される、請求項１に記載の装置。
【請求項４】
前記処理要素が、さらに、前記ワイヤレスネットワークから逆に提案されたサービスオプションが前記順序付けられたリストに含まれる場合に、前記要求された通信セッションを開始するように構成される、請求項１の装置。
【請求項５】
前記処理要素が、さらに、該処理要素及び前記ワイヤレスネットワークが前記順序付けられたリストに含まれるサービスオプションに合意できない場合に、前記処理要素と前記ワイヤレスネットワークとの間の通信を終了するように構成される、請求項１に記載の装置。
【請求項６】
移動電話に組み込まれる、請求項１に記載の装置。
【請求項７】
前記呼設定コマンドが符号分割多元接続カードアプリケーションツールキット規格に準拠する、請求項１に記載の装置。
【請求項８】
通信セッションの開始を要求する装置であって、
通信セッションの開始を要求する呼設定コマンドを送信するように構成され、さらに、サービスオプションの順序付けられたリストを送信するように構成された処理要素を具備し、
前記サービスオプションの各々が前記要求された通信セッションの１つの許容可能なコンフィギュレーションを定めており、
前記呼設定コマンド及び前記順序付けられたリストの受信側が前記要求された通信セッションを開始するためにワイヤレスネットワークとネゴシエートし、前記受信側が前記順序付けられたリストからサービスオプションを前記ワイヤレスネットワークに提案するようになっている、ことを特徴とする装置。
【請求項９】
前記呼設定コマンド及び前記順序付けられたリストが取り外し可能なユーザ識別モジュール（Ｒ−ＵＩＭ）から送信される、請求項８に記載の装置。
【請求項１０】
前記受信側は、前記ワイヤレスネットワークが前記提案されたサービスオプションを許容する場合に、前記要求された通信セッションを開始する、請求項８に記載の装置。
【請求項１１】
前記受信側は、前記ワイヤレスネットワークから逆に提案されたサービスオプションが前記順序付けられたリストに含まれる場合に、前記要求された通信セッションを開始する、請求項８の装置。
【請求項１２】
前記受信側は、該受信側及び前記ワイヤレスネットワークが前記順序付けられたリストに含まれるサービスオプションに合意できない場合に、前記受信側と前記ワイヤレスネットワークとの間の通信を終了する、請求項８に記載の装置。
【請求項１３】
移動電話に組み込まれる、請求項８の装置。
【請求項１４】
前記呼設定コマンドが符号分割多元接続カードアプリケーションツールキット規格に準拠する、請求項８の装置。
【請求項１５】
通信セッションの開始を要求する方法であって、
通信セッションの開始を要求する呼設定コマンドを受信する段階と、
各々が前記要求された通信セッションの１つの許容可能なコンフィギュレーションを定める複数のサービスオプションの順序付けられたリストを受信する段階と、
前記順序付けられたリストからサービスオプションをワイヤレスネットワークに提案することにより、前記要求された通信セッションを開始するために前記ワイヤレスネットワークとネゴシエートする段階と、
を含むことを特徴とする方法。
【請求項１６】
前記呼設定コマンドを受信する段階が、該呼設定コマンドを取り外し可能なユーザ識別モジュール（Ｒ−ＵＩＭ）から受信することを含み、
前記順序付けられたリストを受信する段階が、該順序付けられたリストを前記Ｒ−ＵＩＭから受信することを含む、請求項１５に記載の方法。
【請求項１７】
前記ワイヤレスネットワークが前記提案されたサービスオプションを許容する場合に前記要求された通信セッションを開始する段階をさらに含む、請求項１５に記載の方法。
【請求項１８】
前記ワイヤレスネットワークから逆に提案されたサービスオプションが前記順序付けられたリストに含まれる場合に前記要求された通信セッションを開始する段階をさらに含む、請求項１５に記載の方法。
【請求項１９】
前記順序付けられたリストに含まれるサービスオプションに対する合意がない場合に前記ワイヤレスネットワークとの通信を終了する段階をさらに含む、請求項１５に記載の方法。
【請求項２０】
前記呼設定コマンドを受信する段階が、符号分割多元接続カードアプリケーションツールキット規格に準拠する呼設定コマンドを受信することを含む、請求項１５に記載の方法。
【発明の詳細な説明】
【技術分野】
【０００１】
本発明は、一般的にワイヤレス通信に関し、より特定的には、取り外し可能なユーザ識別モジュールとこれに対応する移動通信端末との間の通信を向上させるシステム、端末、及び方法に関する。
【背景技術】
【０００２】
セルラ電話又は携帯電話のようなワイヤレス通話装置及びワイヤレス通信が可能な他の装置が、世界中で広く用いられている。単一モードの通信装置は、典型的には、一種類の無線通信ネットワークと通信するように設計されている。ワイヤレス通信ネットワークの例としては、ＧＳＭ（汎欧州デジタルセルラーシステム）、ＷＣＤＭＡ（広帯域符号分割多元接続）、ＣＤＭＡ（符号分割多重アクセス方式）が含まれる。ＧＳＭネットワークはヨーロッパでより広く用いられており、ＣＤＭＡネットワークは米国でより広く用いられている。ＣＤＭＡシステムは、独特なコードを割り当てることを通して、多数のユーザが共有する電波スペクトルを分割することにより動作する。ＣＤＭＡシステムは、伝達される各々の信号に独特なコードを割り当て、それによって同時に多数の信号を広帯域拡散スペクトル帯域幅にわたり拡散させることができる。それぞれのコードを用いることで信号を検出し、同じ帯域幅上で伝達される他の信号から隔離することができるようになる。
【０００３】
新型携帯電話には新規な改善された機能が提供され、携帯電話の機能性は着実に高まっている。しかし、このような新規な機能は、ユーザが新規に携帯電話を購入しないと利用できない場合もある。さらに、幾つかの機能の中には特殊化されており、携帯電話ユーザの僅かな割合にしか希望されないものもある。需要が限定されているため、携帯電話製造者は、製造者の携帯電話の標準機能としてこのような特殊機能を提供することはない。移動体サービスプロバイダ及び第三者が独特で特殊なソフトウエア・アプリケーションを提供できるよう開発されたソリューションが、取外し可能なユーザ識別モジュール（Ｒ−ＵＩＭ）である。Ｒ−ＵＩＭは、ユーザ情報、データ特徴、及びソフトウェア・アプリケーションを含むことができるスマートカードである。Ｒ−ＵＩＭは、Ｒ−ＵＩＭとインターフェースすることができるあらゆる携帯電話に挿入することができ、１つの携帯電話から別の携帯電話に移すことができる。携帯電話ユーザは、Ｒ−ＵＩＭ上に保存され、実行される特殊化されたソフトウェア・アプリケーションを取得することができる。携帯電話ユーザは、このようなアプリケーションを直接サービスプロバイダーから又は第三開発者から入手できる。例えば、第三者は自動転送機能をもたない携帯電話にその機能を提供するＲ−ＵＩＭ上のアプリケーションを提供することができる。
【０００４】
ＣＤＭＡカードアプリケーション・ツールキット（ＣＣＡＴ）は、Ｒ−ＵＩＭ上に保存されるアプリケーションが、Ｒ−ＵＩＭを許容して、ＣＣＡＴをサポートすることができる（移動機器（ＭＥ）又は移動体通信局とも呼ばれる）あらゆる携帯電話と相互作用し、動作させることを可能にする標準化された一組のコマンド及び手順である。ＣＣＡＴは、Ｒ−ＵＩＭ上のアプリケーションを、ＣＣＡＴ機能をサポートするあらゆる特定の製造業者の携帯電話において機能させることができる。
【０００５】
ごく一部の例を挙げると、ＣＣＡＴのコマンドの組においては、ＲＵＩＭが、携帯電話に、文字を表示させること、クリアな音を出させること、ＳＭＳ（ショートメッセージサービス）メッセージを送信させること、又は電話の通話（又は他種の通信セッション）を開始させることを可能にするコマンドがある。ＣＣＡＴは、Ｒ−ＵＩＭから実行されるアプリケーションが携帯電話からネットワークに電話の通話を開始することを可能にするＣＡＬＬ  ＳＥＴＵＰコマンドを指定する（このような通話は、移動体開始（ＭＯ）通話と呼ばれる）。
【０００６】
性能コンフィギュレーションパラメータは、通話設定を可能にするＣＤＭＡ物理層もしくは多重副層により用いることができるベアラ能力パラメータ又は構成である。性能コンフィギュレーションパラメータは、例えば、携帯電話とネットワークとの間の通信に用いられるデータ速度、エンコード化／デコード化、及びサンプリングを定義するものである。様々な通話形式（例えば、音声又はデータ）は、典型的には、様々な性能コンフィギュレーションパラメータを必要とする。
【０００７】
現行のＣＤＭＡ仕様は、制御チャンネル上及び輸送チャンネル上の両方のサービスオプション概念をサポートするものである。サービスオプションにより、物理層及び多重副層インターフェイス境界内で、種々の音声サービス及び非音声サービスを別々に定めることが可能になる。各々のサービスオプションは、特定の通話形式の物理層及び多重副層で用いられる構成及びパラメータを定義する。今日まで、ＣＤＭＡに対して約５０のサービスオプションが定義されている。このように定義されたサービスオプションは、携帯電話とネットワークとの間のネゴシエートに用いられる。携帯電話がネットワークに接続する度に、携帯電話及びネットワークは、その接続中の通信に用いるサービスオプションについてネゴシエートし合意しなければならない。サービスオプションは、Ａｄｍｉｎｉｓｔｒａｔｉｏｎ  ｏｆ  Ｐａｒａｍｅｔｅｒ  Ｖａｌｕｅ  Ａｓｓｉｇｎｍｅｎｔｓ  ｆｏｒ  ｃｄｍａ２０００  Ｓｐｒｅａｄ  Ｓｐｅｃｔｒｕｍ  Ｓｔａｎｄａｒｄｓ−Ｒｅｌｅａｓｅ  Ｄ（３ＧＰＰ２Ｃ.Ｒ１００１−Ｄ.  ２００３年４月１８日）に定義されている。例えば、サービスオプション１は、通信速度が８ｋｐｓである基本的な可変速度音声サービスを定義し、サービスオプション１５は、通信速度が１４．４Ｋｂｐｓであるパケットデータサービスを定義する。各々のサービスオプションは、２バイト（１６ビット）のサービスオプションの２進数によって識別されている。
【０００８】
現行のＣＣＡＴ仕様は、ＣＤＭＡ性能コンフィギュレーションパラメータを指定していない。よって、Ｒ−ＵＩＭからのＣＡＬＬ  ＳＥＴＵＰコマンドを携帯電話が受信したときには、携帯電話は物理層及び多重層のデフォルト構成パラメータしか用いることができない。デフォルト構成パラメータしか用いることができないため、Ｒ−ＵＩＭにより実行されるＣＣＡＴアプリケーションが開始可能な電話通話の形式は音声通話に限定される。データ通話は、Ｒ−ＵＩＭにより実行されるＣＣＡＴアプリケーションによっては開始できないため、ＣＣＡＴアプリケーションの機能性は限定されてしまう。さらに、ＣＤＭＡ２０００仕様は、携帯電話及び携帯ネットワークが相互に許容可能な物理及び多重層構成、及び相互に許容可能なパラメータをネゴシエートする手順を指定するものである。しかしながら現行のＣＣＡＴ仕様は、上述の通り性能コンフィギュレーションパラメータを指定するものではないため、Ｒ−ＵＩＭにより実行されるＣＣＡＴアプリケーションは、物理及び多重層構成及びパラメータを、携帯ネットワークとネゴシエートさせることができず、デフォルト構成のみをＣＣＡＴ  ＣＡＬＬ  ＳＥＴＵＰコマンドにより用いることができる。
【発明の開示】
【発明が解決しようとする課題】
【０００９】
したがって、回線データ又はパケットデータといった様々な通話形式を可能にするＣＣＡＴアプリケーションのＣＡＬＬ  ＳＥＴＵＰ機能を拡大する必要がある。さらに、ＣＣＡＴアプリケーションのようなカードアプリケーション・ツールキットアプリケーションが、物理及び多重層構成及びパラメータと携帯ネットワークをネゴシエートさせることを可能にする必要がある。
【課題を解決するための手段】
【００１０】
概説すると、本発明の実施形態は、サービスオプションのリストを、Ｒ−ＵＩＭアプリケーションなどからの通信設定コマンドに対する性能コンフィギュレーションパラメータとして用いることができる手段を提供することにより、既知の従来技術の改善を図るものである。例えば、Ｒ−ＵＩＭアプリケーションが移動体通信局に通信設定コマンドを送信するときに、Ｒ−ＵＩＭアプリケーションはさらに、ネットワークとネゴシエートするために移動体通信局が用いることができるサービスオプションのリストも送信することができる。通話設定におけるサービスネゴシエートプロセス中、移動体通信局は、サービスオプションリストにあるサービスオプションのみを用いる又は許容する。
【００１１】
この点において、電話通話といった通信セッションの開始を要求する装置は、通信セッションの開始を要求する呼設定コマンドを受信し、サービスオプションの順序付けられたリストを受信するように構成された処理要素を含み、各々のサービスオプションは要求された通信セッションの許容可能な構成を定義する。処理要素はさらに、要求された通信セッションを開始するようにワイヤレスネットワークとネゴシエートするように構成されて、処理要素は順序付けられたリストからのサービスオプションをワイヤレスネットワークに提案する。呼設定コマンド及び順序付けられたリストは、取り外し可能なユーザ識別モジュール（Ｒ−ＵＩＭ）から受信することができる。
【００１２】
処理要素はさらに、ワイヤレスネットワークが提案されたサービスオプションを許容した場合、又はワイヤレスネットワークからの逆に提案されたサービスオプションが順序付けられたリストに含まれる場合に、要求された通信セッションを開始するように構成することができる。
【００１３】
処理要素はさらに、処理要素及びワイヤレスネットワークが順序付けられたリストに含まれるサービスオプションに合意できない場合に、処理要素とワイヤレスネットワークとの間の通話を終了するように構成することができる。
【００１４】
装置は携帯電話に具現することができる。呼設定コマンドは、符号分割多元接続カードアプリケーション・ツールキット規格に準拠することができる。
【００１５】
上述した通信セッションの開始を要求する装置に加え、本発明の実施形態の他の態様は、通信セッションの開始を要求するための対応する方法に向けられる。
【発明を実施するための最良の形態】
【００１６】
本発明を一般的な用語で説明したが、ここで、必ずしも実際の縮尺に基づくものではない添付図面を参照する。
ここで、本発明の望ましい実施形態を示す添付図面を参照して、本発明をより詳細に説明する。しかしながら、本発明は多様な形態で具現することができ、本明細書に説明する実施形態に限定されると解釈されてはならず、むしろ、このような実施形態は、本開示が完全かつ徹底されるように提供され、当業者に本発明の範囲を十分に伝えるものである。全体を通して同様の符号は同様の要素を示すものとする。
【００１７】
図１を参照すると、本発明により利益を享受するであろうシステムの１つの種類の図が与えられている。システムは、１つ又はそれ以上の移動局１０を含むことができ、各々の移動局は、１つ又はそれ以上の基地局１４（ＢＳ's）と信号の送受信を行うアンテナ１２を有する。基地局は、１つ又はそれ以上のセルラー又は携帯ネットワークの一部分であり、各々が、１つ又はそれ以上の移動交換局（ＭＳＣ)１６といったネットワークを運用するのに必要な要素を含む。当業者には周知のように、携帯ネットワークは基地局／ＭＳＣ／相互作用機能（ＢＭＩ)と呼ぶことができる。動作中、このような移動局が通話、データなどを送受信するときに、ＭＳＣは移動局から及び移動局への通話、データなどをルートすることができる。ＭＳＣはまた、移動局が通話中、陸線トランクに接続を与えることができる。
【００１８】
ＭＳＣ１６は、ローカルエリア・ネットワーク（ＬＡＮ）、メトロポリタン・エリア・ネットワーク（ＭＡＮ）及び／又は広域ネットワーク（ＷＡＮ）といったデータネットワークに結合することができる。ＭＳＣは、直接、データネットワークに結合することができる。１つの一般的な実施形態においては、ＭＳＣはゲートウェイ（ＧＴＷ）１８に結合することができ、ＧＴＷは、インターネット２０のようなＷＡＮに結合することができる。次いで、処理要素のような装置（例えば、パーソナルコンピュータ、サーバコンピュータなど）は、インターネットにより移動局１０に結合することができる。例えば後述のとおり、処理要素は１つ又はそれ以上のゲームサーバ２２、ルーティングサーバ２４、パーソナルコンピュータ（ＰＣ）システム２６、ゲームコンソール２８などと関連する１つ又はそれ以上の処理要素を含むことができ、その各々は図１に示され、以下に説明される。処理要素は本発明の実施形態により作動することが可能な多数の処理装置、システムなどのうちどれを含んでもよいことが理解される。
【００１９】
ＢＳ１４はまた、信号ＧＰＲＳ（汎用パケット無線システム）サポートノード（ＳＧＳＮ）３０に結合することもできる。当業者に周知の通り、ＳＧＳＮは、一般的には、パケット交換サービスのＭＳＣ１６と同様の機能を実行することが可能である。ＳＧＳＮは、ＭＳＣのように、インターネット２０のようなデータネットワークに結合することができる。ＳＧＳＮは、データネットワークに、直接、結合することができる。しかし、より一般的な実施形態においては、ＳＧＳＮは、ＧＰＲＳコアネットワーク３２のようなパケット交換コアネットワークに結合される。パケット交換コアネットワークは、次にＧＴＷ  ＧＰＲＳサポートノード（ＧＧＳＮ）３４のような別のＧＴＷに接続され、ＧＧＳＮはインターネットに接続される。
【００２０】
すべての考え得るネットワークのあらゆる要素を本明細書に示し説明してはいないが、移動局１０は多数の様々なネットワークのいずれかの１つ又はそれ以上と結合することができる。この点で、携帯ネットワークは、第一世代（１Ｇ）、第二世代（２Ｇ）、２．５Ｇ、及び／又は第三世代（３Ｇ）の多数の携帯通信プロトコルなどのうちのいずれか１つ又はそれ以上により、通信をサポートすることが可能である。より具体的には、１つ又はそれ以上の移動局を、２Ｇ無線通信プロトコルＩＳ-１３６（ＴＤＭＡ）、ＧＳＭ、及びＩＳ-９５（ＣＤＭＡ）により通信をサポートすることができる１つ又はそれ以上のネットワークに結合することができる。また、例えば、１つ又はそれ以上のネットワークは、２．５Ｇ無線通信プロトコルＧＰＲＳ、強化データＧＳＭ環境（ＥＤＧＥ）などにより通信をサポートすることが可能であるとすることができる。さらに、例えば、ネットワークの１つ又はそれ以上は、広帯域符号分割多元接続（ＷＣＤＭＡ）無線アクセス技術を用いたユニバーサル移動電話システム（ＵＭＴＳ）といった３Ｇ無線通信プロトコルにより通信をサポートすることが可能とすることができる。二重又はそれ以上のモードの移動局（例えば、デジタル／アナログ又はＴＤＭＡ／ＣＤＭＡ／アナログ電話）と同様に、狭帯域ＡＭＰＳ（ＮＡＭＰＳ）並びにＴＡＣＳネットワークもまた、本発明の実施形態により利益を享受することができる。
【００２１】
図１のシステムは、多数の様々な通信プロトコルを用いて移動局との通信をサポートすることが可能であるが、ＣＤＭＡプロトコルにより通信を行う移動局を、本発明の例示的な実施形態と関連して後述する。
【００２２】
１つ又はそれ以上の移動局１０はさらに、１つ又はそれ以上の無線アクセスポイント（ＡＰｓ）３６に結合することができる。ＡＰｓは、例えば、無線周波（ＲＦ）、ブルートゥース（ＢＴ）、赤外線（ＩＲ）、又はＷＬＡＮ技術を含む多数の様々なワイヤレスネットワーク技術のいずれかといった技術により、移動局と通信を行うように構成することができる。ＡＰｓは、インターネット２０と結合することができる。ＭＳＣ１４と同様に、ＡＰｓはインターネットに、直接、結合することができる。しかし、ある実施形態においては、ＡＰｓはＧＴＷ１８によりインターネットに間接的に結合される。直接的又は間接的に、移動局とユーザプロセッサ（例えばゲームサーバ２２、ルーティングサーバ２４、パソコン（ＰＣ）システム２６、ゲームコンソール２８、ネットワークエンティティ）を接続することにより、及び／又は、ＡＰｓ又は携帯ネットワークによって、多数の他の装置のいずれかをインターネットに接続することにより、移動局とユーザプロセッサは互いに通信を行うことができ、それによってデータ、コンテンツなどの送受信のようなそれぞれのエンティティの様々な機能を実行することが理解される。本明細書で用いられる「データ」「コンテンツ」「情報」及び同様の用語は、本発明の実施形態により、送受信及び／又は保存することができるデータを指すのに互換的に用いることができる。したがって、いずれのこうした用語の使用も、本発明の実施形態の精神及び範囲を限定するものであるべきではない。
【００２３】
次に図２を参照すると、本発明の実施形態により利益を享受するであろう移動局１０の１つの種類である携帯電話が示されている。しかし、図示され後述される移動局は、本発明により利益を享受するであろう移動局の１つの種類を示すものに過ぎず、よって本発明の範囲を限定するものと理解されるべきではない。移動局のいくつかの実施形態を一例として図示し後述するが、携帯情報端末（ＰＤＡｓ）、ポケットベル、ラップトップコンピュータ、携帯ゲーム装置、及び他種の電子システムといった他種の移動局も本発明を容易に採用することができる。
【００２４】
図示のように、移動局１０は、アンテナ１２に加え、トランスミッタ４８と、レシーバ５０と、処理要素５２、又はトランスミッタ及びレシーバにより信号の送受信を行う他のプロセッサとを含む。このような信号は、適用可能なセルラーシステムの空気界面標準によるシグナリング情報、さらに、ユーザ会話及び／又はユーザ作成データを含む。この点で、移動局は、ＣＤＭＡ通信プロトコルにより動作することが可能である。
【００２５】
処理要素５２は、移動局１０のオーディオ機能及び論理機能を実施するのに必要な回路構成を含む。例えば、処理要素は、デジタル信号プロセッサ装置、マイクロプロセッサ装置、及び種々のアナログ／デジタル交換機、デジタル／アナログ交換機、及び他のサポート回路を含むことができる。移動局の制御及び信号処理機能は、それぞれの性能に応じてこれらの装置間で割り当てられる。処理要素はさらに、内部ボイスコーダ（ＶＣ）５２を含むことができ、内部データモデム（ＤＭ）５２ｂを含むことができる。処理要素はさらに、上述したような１つ又はそれ以上のクライアント・ソフトウエアプログラムを動作させる、メモリ内に保存可能な機能性を含むことができる（後述する）。
【００２６】
移動局１０は、さらに、通常のイヤホン又はスピーカー５４、リンガー５６、マイクロフォン５８、ディスプレイ６０、及びユーザ入力インターフェースを含むユーザインターフェースを含み、これらはすべて処理要素５２と結合される。図示されていないが、移動局は、移動局を動作させるのに必要な様々な回路に電力を供給し、並びに、検出可能な出力として機械的振動を随意に与えるバッテリを含むことができる。移動局のデータ受信を可能にするユーザ入力インターフェースは、キーパッド６２、タッチディスプレイ（図示せず）、ジョイスティック（図示せず）、又は他の入力装置のような、移動局のデータ受信を可能にする多数の装置のうちどれを含んでもよい。キーパッドを含む実施形態においては、キーパッドは通常の数字（０−９）及び関連キーボード（＃,*）、及び移動局を動作させるのに用いる他のキーを含む。
【００２７】
移動局１０は、さらに、データを共有及び／又は取得するための１つ又はそれ以上の手段を含むことができる。例えば、移動局はＲＦ技術により電子装置とデータを共有する及び／又は電子装置からデータを取得することができるように、短距離無線周波（ＲＦ）トランシーバ、又はインターロゲータ６４を含むことができる。移動局は、付加的に又は代替的に、例えば、赤外線（ＩＲ）トランシーバ６６のような他の短距離トランシーバ、及び／又は、ブルートゥース利益団体開発のブルートゥースブランド無線技術を用いて作動するブルートゥース（ＢＴ）トランシーバ６８を含むことができる。したがって移動局は、付加的に又は代替的に、このような技術により電子装置とデータの送受信を行うことができる。図示されていないが、移動局は、付加的に又は代替的に、ＩＥＥＥ  ８０２．１１ｘ技術のようなＷＬＡＮ技術を含む多数の様々なワイヤレスネットワーク技術により、電子装置とデータの送受信を行うことができる。
【００２８】
移動局１０は、さらに、一般的には携帯加入者に関する情報要素を保存する取り外し可能なユーザＩＤモジュール（Ｒ−ＵＩＭ）７０のようなメモリを含む。Ｒ−ＵＩＭに加えて、移動局は他の取り外し可能及び／又は固定メモリを含むことができる。移動局は、データの一時的保存のためのキャッシュ領域を含む揮発性ランダム・アクセス・メモリ（ＲＡＭ）のような揮発性メモリ７２を含むことができる。移動局はさらに、組み込むことができる及び／又は取り外すことができる他の不揮発性メモリ７４を含むことができる。不揮発性メモリは、付加的に又は代替的に、ＥＥＰＲＯＭ、フラッシュメモリなどを含むことができる。メモリは、移動局が移動局の機能を実施するのに用いられる多数のソフトウェア・アプリケーション、命令、情報、データのいずれをも保存することができる。
【００２９】
ここで図３を参照すると、本発明の１つの実施形態によるＣＤＭＡカードアプリケーション・ツールキット（ＣＣＡＴ）ＣＡＬＬ  ＳＥＴＵＰコマンドのようなカードアプリケーション・ツールキット（ＣＡＴ）の呼設定コマンドをもつＣＤＭＡ性能コンフィギュレーションパラメータといった機能通信パラメータの使用を示している。上述の通り、携帯電話（又は他の種類の移動体通信局）におけるＲ−ＵＩＭは、携帯電話と相互作用し、これを動作させるためのＣＡＴコマンドを用いるアプリケーションを含むことができる。具体的には、通話転送アプリケーションのようなＲ−ＵＩＭアプリケーションは、呼設定コマンドを用いて、携帯電話が、ネットワークに対する電話通話又は他の種類の通信セッションを開始するようにさせる。本発明の実施形態においては、Ｒ−ＵＩＭアプリケーションは、Ｒ−ＵＩＭアプリケーションからの呼設定コマンドにおいて性能コンフィギュレーションパラメータとして用いることができるＣＤＭＡサービスオプションのようなサービスオプション（「ＳＯ」）リストを作成する。ブロック１００を参照されたい。サービスオプションリストは、一般的には、複数のサービスオプションを含み、各々のサービスオプションはＲ−ＵＩＭが開始しようとする通話の形式をサポートできるものである。例えば、Ｒ−ＵＩＭアプリケーションがデータ通話を開始しようとする場合には（すなわち、携帯電話へ、及び／又は、携帯電話からネットワーク上でデータが転送される通話）、作成されたサービスオプションリストは、一般的には、データ通話をサポートできるサービスオプションの一部又はすべてを含む。例えば、リストは、ＳＯ１６及びＳＯ８の２つのサービスオプションを含むことができ、両方ともセルラーデジタルパケットデータ（ＣＤＰＤ）通話用であるが、ＳＯ１６は１４．４Ｋｂｐｓのデータ速度を用いるのに対し、ＳＯ８は９．６Ｋｂｐｓのデータ速度を用いる。或いは、Ｒ−ＵＩＭアプリケーションが音声通話を開始しようとする場合には、作成されたサービスオプションリストは、一般的には、音声通話をサポートできるサービスオプションの一部又はすべてを含む。例えば、リストはＳＯ３及びＳＯ１の２つのサービスオプションを含むことができ、ＳＯ３は高度可変速度音声コーデックを用いるが、ＳＯ１は基本可変速度音声コーデックを使用する。Ｒ−ＵＩＭアプリケーションは、典型的には、最も望ましいサービスオプションがリストの最初に表示され、最も望ましくないサービスオプションが（しかし適切な）リストの最後に表示されるように、各々のサービスオプションの望ましさによってサービスオプションリストの順序付けをする。
【００３０】
順序付けられたサービスオプションリストは、呼設定コマンドが送信されたときに、Ｒ−ＵＩＭアプリケーションから携帯電話に送信される。ブロック１０２を参照されたい。リストは、性能コンフィギュレーションパラメータとして送信される。性能コンフィギュレーションパラメータの長さは、リストのサービスオプション数に応じて変化する。一実施形態においては、性能コンフィギュレーションパラメータの第１バイトは、性能コンフィギュレーションパラメータが送信中であることを示すタグである。本実施形態の性能コンフィギュレーションパラメータの次の１つ又はそれ以上のバイトは、バイト形態で、送信される性能コンフィギュレーションパラメータの長さを示す。性能コンフィギュレーションパラメータの残りのバイトは、優先順位による、サービスオブションに対する一連の２バイトのインジケータである。これは表１に示される。
【表１】
2008537868.tif 000003
例えば、４つのサービスオプションリストを含む性能コンフィギュレーションパラメータは、通常１０バイトを含む：タグに１バイト、長さに１バイト、サービスオプションに８バイト（４つのサービスオプションの各々に対して２バイト）。
【００３１】
サービスオプションリストは、相互に許容可能なサービスオプションのために、ネットワークとネゴシエートするのに携帯電話により用いることができる。通話設定のサービスネゴシエートプロセス中、携帯電話は、サービスオプションリスト上のサービスオプションのみを用いる又は許容する。携帯電話が性能コンフィギュレーションパラメータタグを含むＣＣＡＴ  ＣＡＬＬ  ＳＥＴＵＰコマンドのようなＣＡＴ呼設定コマンドを受信したときには、携帯電話は、一般に、携帯電話からネットワークに伝達されるＣＤＭＡ開始メッセージのような開始メッセージにおけるサービスオプションのフィールドとして性能コンフィギュレーションパラメータにリスト表示される第１のサービスオプションを用いる。
【００３２】
この最初に提案されたサービスオプションがネットワークに許容可能である場合には、ブロック１０６で判断されるように、ネットワークは携帯電話に許容を知らせ、最初に提案されたサービスオプションを用いて通話が確立される。ブロック１０８を参照されたい。最初に提案されたサービスオプションがネットワークに許容可能でない場合には、ネットワークは異なるサービスオプションを提案し、異なる提案のサービスオプションと共にメッセージを携帯電話に送信する。携帯電話は、一般的には、ネットワークにより提案された異なるサービスオプションを、性能コンフィギュレーションパラメータにおけるＲ−ＵＩＭから受信したサービスオプションリストに対してチェックする。ブロック１１０を参照されたい。ネットワークにより提案されたサービスオプションがＲ−ＵＩＭからの受信リストにある場合（ブロック１１２を参照されたい）には、携帯電話はそのサービスオプションを許容することができ、そのサービスオプションを用いて通話が確立される。ブロック１１４を参照されたい。或いは、ネットワークにより提案されたサービスオプションがＲ−ＵＩＭから受信したリストにあるが、提案されたサービスオプションがリストの最下位近く又は最下位である場合（すなわち、ネットワークにより提案されたサービスオプションが最も望ましくないサービスオプションの１つである場合）、及び、携帯電話とネットワークとの間で、他のより望ましいサービスオプションがネゴシエートされていない場合には、携帯電話は、望ましさが少ないサービスオプションを直ちに許容するのではなく、より望ましいサービスオプションのうちの１つを提案することができる（例えば、提案されていない最も望ましいサービスオプション）。この代替オプションは図３に示されていない。
【００３３】
ネットワークにより提案されたのサービスオプションがＲ−ＵＩＭからの受信リストにない場合には、一般的には、Ｒ−ＵＩＭからの受信リストに、まだ提案されていないサービスオプションが残っていないか判断される。ブロック１１６を参照されたい。Ｒ−ＵＩＭからの受信リスト上のサービスオプションがすべて携帯電話より提案されたのに、ネットワークが、提案されたどのサービスオプションも許容しなかった場合には、通話試行は失敗に終わり終了する。ブロック１１８を参照されたい。ネットワークにまだ提案されていないサービスオプションがリスト上に残っている場合には、携帯電話は、次いで、リスト上の次のサービスオプションを提案する。ブロック１２０を参照されたい。携帯電話及びネットワークがいずれかの許容可能なサービスオプションに合意するまで（結果として通話が確立するまで）、又はサービスオプションがすべて提案されたが、どのオプションも許容不能とされるまで（結果として通話終了になるまで）、ブロック１０６から１２０に示されるステップは、一般的には、継続される。しかし、ネットワークは携帯電話により提案されたサービスオプションを拒否することによって、いつでもネゴシエートプロセスを終了することができ、それによって、携帯電話はＲ−ＵＩＭに通話設定の失敗を通知する。
【００３４】
本発明に関わる当業者であれば、上記の説明と関連する図面に提示される教示の利益を有する本発明の多数の変更及び他の実施形態を思い付くであろう。したがって、本発明は開示される特定の実施形態に限定されるものではなく、変更及び他の実施形態は、特許請求の範囲内に含まれるものとすることが理解される。本明細書においては特定の用語が用いられるが、一般的で記述的な意味で用いられるに過ぎず、限定する目的で用いられるものではない。
【図面の簡単な説明】
【００３５】
【図１】本発明により利益を享受するであろうシステムの一種類を表わす概略ブロック図である。
【図２】本発明の一実施形態により移動局をより具体的に示す概略ブロック図である。
【図３】本発明の一実施形態によりカードアプリケーション・ツールキット呼設定コマンドをもつ性能コンフィギュレーションパラメータの使用を示すフローチャートである。
【図１】
2008537868.tif 000004
【図２】
2008537868.tif 000005
【図３】
2008537868.tif 000006
【国際調査報告】
2008537868.tif 000007
2008537868.tif 000008
2008537868.tif 000009
2008537868.tif 000010